(57)【要約】【課題】情報処理装置に関し、非接触型ＩＣカードとの連続的交信を可能にすることにより、使い勝手を向上させることを目的とする。【解決手段】筐体１前面部に非接触型ＩＣカード２を斜め姿勢で立て掛けて支持するカード支持部３を備えるとともに、  前記カード支持部３の背面部で、前記非接触型ＩＣカード２との交信可能位置に非接触型ＩＣカードリーダ４が配置されることにより構成される。【選択図】  図２
2008305056.tif 000002
【特許請求の範囲】
【請求項１】
筐体前面部に非接触型ＩＣカードを斜め姿勢で立て掛けて支持するカード支持部を備えるとともに、
前記カード支持部の背面部で、前記非接触型ＩＣカードとの交信可能位置に非接触型ＩＣカードリーダが配置される情報処理装置。
【請求項２】
前記カード支持部は、非接触型ＩＣカードリーダの読み取り面により形成される傾斜面と、非接触型ＩＣカードの下端を支持する突部とから形成される請求項１記載の情報処理装置。
【発明の詳細な説明】
【技術分野】
【０００１】
本発明は、情報処理装置に関するものである。
【背景技術】
【０００２】
非接触型カードリーダ/ライタを組み込んだ情報処理装置としては、特許文献１に記載のものが知られている。この従来例において、コンピュータ本体には、ワイヤレスマウスに組み込まれたＲＦタグを読み込むためのＲＦタグ読取装置が収容される。ワイヤレスマウス側のＲＦタグには固有のＩＤが付されており、ワイヤレスマウスをＲＦタグのコンピュータ本体との交信可能距離に接近させると、コンピュータ本体がワイヤレスマウスのＩＤを読み取り、以後、当該ワイヤレスマウスを周辺装置として認識する。
【特許文献１】特開２００２-３４１９８３号公報
【発明の開示】
【発明が解決しようとする課題】
【０００３】
しかし、一般に多用される密着型、あるいは近接型ＲＦＩＤにおいては、リーダとの交信距離が短いために、上述した従来例のように、一旦リーダにＲＦＩＤを接近させたタイミングで相互に交信し、以後、交信を要しないような場合には使用可能であるが、コンピュータ本体の使用中に交信が可能なような場合には、そのたびにＲＦＩＤを接近させる必要があり使い勝手が悪いという問題がある。
【０００４】
本発明は、以上の欠点を解消すべくなされたものであって、非接触型ＩＣカードとの連続的交信を可能にすることにより、使い勝手を向上させた情報処理装置の提供を目的とする。
【課題を解決するための手段】
【０００５】
情報処理装置は、情報処理装置の筐体１内に必要な処理用モジュール回路を収容して形成される。筐体１の前面部には非接触型ＩＣカード２を傾斜姿勢で支承可能な傾斜面５が形成され、その背面部に非接触型ＩＣカードリーダ４が配置される。
【０００６】
非接触型ＩＣカードリーダ４は傾斜面５に載せられる非接触型ＩＣカード２との交信が可能な位置に配置され、情報処理装置使用時に、非接触型ＩＣカード２を傾斜面５上に載せておくだけで、必要に応じて相互に交信が可能になる。
【０００７】
この結果、例えば、情報処理装置が所定タイミングで非接触型ＩＣカード２により使用権限の認証を行う場合、あるいはインターネット等による決済手段として非接触型ＩＣカード２を使用する場合、非接触型ＩＣカード２を傾斜面５に載せておくだけで、作業を継続することができ、使い勝手が向上する。また、非接触型ＩＣカード２は斜めに保持されるために、筐体１の高さ寸法を低くすることができる。
【発明の効果】
【０００８】
本発明によれば、非接触型ＩＣカードとの連続的交信を可能にすることにより、使い勝手を向上させることができる。
【発明を実施するための最良の形態】
【０００９】
図１にパーソナルコンピュータとして構成された本発明の実施の形態を示す。この実施の形態において、パーソナルコンピュータは、筐体１にディスプレイ部７を連結して形成される。筐体１にはＣＰＵ等が実装された実装基板８が格納されており、筐体１に対してヒンジ９周りに回転自在なディスプレイ部７と実装基板８とはケーブル１０等を介して電気的に接続される。
【００１０】
筐体１の前面壁には、電源スイッチ１４配置されるとともに、必要な周辺装置の接続部を配置したＩＯ配置凹部１１が形成され、ヒンジ１２周りに回転操作自在な蓋体１３により閉塞される。この実施の形態において、ＩＯ配置凹部１１には、ＵＳＢ１５（Universal Serial Bus）、オーディオ入力力端子等の外部機器接続端子１６、および外部記憶装置の挿入部１７が配置される。
【００１１】
図２（ａ）に示すように、ＩＯ配置凹部１１の端部には、傾斜面５からなるカード支持部３が形成される。図１（ｂ）に示すように、カード支持部３の傾斜面５は非接触型ＩＣカードリーダ４（以下、単に「カードリーダ」という。）のカード読み取り面により形成されており、傾斜面５下端には、カードストッパ６が突設される。また、カードリーダ４は、実装基板８とリード線１８等により結線され、電気的に接続される。
【００１２】
したがってこの実施の形態において、図２（ｂ）に示すように、蓋体１３を回転させてＩＯ配置凹部１１を開くと、下端縁をカードストッパ６に係止させた状態で非接触型ＩＣカード２（以下、「ＩＣカード」）を外部に露出した傾斜面５に立て掛けることができる。この状態でＩＣカード２とカードリーダ４とは相互に交信をするために十分に接近しており、例えば、ＩＣカード２を決済手段として使用する場合には、決済の度毎にＩＣカード２を所定の読み出し可能位置にセットする必要がない。
【００１３】
なお、図１において、カード支持部３は斜め姿勢で固定されたカードリーダ４の読み取り面を利用して形成されている場合を示したが、ＩＣカード２の上下端縁を支承して該ＩＣカード２を傾斜姿勢に保持することができれば、単なる突起であってもよく、この場合、ＩＣカード２と筐体１内部を隔てる隔壁は傾斜面５である必要はなく、さらに、この隔壁をカードリーダ４のカード読み取り面を利用して形成することも可能である。
【００１４】
さらに、図１において、カードストッパ６は筐体１の底壁部に形成されているが、図３に示すように、蓋体１３裏面に形成することもでき、カード支持部３も、図４に示すように、蓋体１３の背面に形成し、蓋体１３を開放した姿勢でＩＣカード２を載せるように形成することもできる。この場合、カードリーダ４と実装基板８は、蓋体１３のヒンジ１２を挿通するリード線１８等を使用して結線される。
【図面の簡単な説明】
【００１５】
【図１】本発明を示す図で、（ａ）は正面図、（ｂ）は側面図である。
【図２】カード支持部を示す図で、（ａ）は斜視図、（ｂ）はカード支持部に非接触型ＩＣカードを保持した状態を示す図である。
【図３】図１の変形例を示す図で、（ａ）は蓋体が閉まっている状態を示す図、（ｂ）はカード支持部に非接触型ＩＣカードを保持した状態を示す図である。
【図４】図１の他の変形例を示す図で、（ａ）は蓋体が閉まっている状態を示す図、（ｂ）はカード支持部に非接触型ＩＣカードを保持した状態を示す図である。
【符号の説明】
【００１６】
１    筐体
２    非接触型ＩＣカード
３    カード支持部
４    非接触型ＩＣカードリーダ
５    傾斜面
６    突部
【図１】
2008305056.tif 000003
【図２】
2008305056.tif 000004
【図３】
2008305056.tif 000005
【図４】
2008305056.tif 000006